(57)【要約】【課題】巻き上げ機を昇降路中の適宜位置に、弾性的にまた高さを変えて配置できるようにした機械室レス・エレベーターシステムを提供すること。【解決手段】ケージ用ガイドレール（４）と釣り合い重り用ガイドレール（６）とが設けられている昇降路（１）と、ケージ（３）と、釣り合い重り（５）と、前記ケージと釣り合い重りとを懸吊する両端が固着された少なくとも１本のケーブル（１４）と、ケージ及び釣り合い重りの昇降通路外の昇降路壁に配置され、ケーブルを受けてケージ及び釣り合い重りと共に連動させる巻き上げ機（２）とを含む機械室レス・エレベーターシステム。ケージ側転向ホイール（１０）及び釣り合い重り側転向ホイール（１１）はそれぞれ適宜角度転向しており、それによって駆動のケーブルは滑らかな偏向角度でケージ及び釣り合い重りを駆動することができる。【選択図】    図１
2004189481.tif 000002
【特許請求の範囲】
【請求項１】
昇降路（１）壁上にケージ用ガイドレール（４）及び釣り合い重り用ガイドレール（６）が設けられている壁により限定されている昇降路（１）と、ケージ用ガイドレール（４）に沿って上下摺動するケージ（３）と、釣り合い重り用ガイドレール（６）に沿って上下摺動する釣り合い重り（５）と、前記ケージ（３）及び釣り合い重り（５）を懸吊する両端が固着された少なくとも１本のケーブル（１４）と、ケージ（３）及び釣り合い重り（５）の昇降通路外の昇降路（１）壁との間に配置され、駆動ケーブル（１４）を受けてケージ（３）及び釣り合い重り（５）と共に連動させる巻き上げ機（２）とを含む機械室レス・エレベーターシステムにおいて、
支持部（８）に前記巻き上げ機（２）と前記巻き上げ機（２）を制御するエレベーター制御盤（９）とが固着され、ケージ側転向ホイール（１０）が適宜の偏向角度で前記支持部（８）の頂部に設けられ、釣り合い重り側転向ホイール（１１）が適宜の偏向角度でレール支持梁（７）の頂部に設置され、巻き上げ機（２）が駆動する前記駆動ケーブル（１４）が滑らかな偏向角度でケージ（３）及び釣り合い重り（５）を駆動するようにしたことを特徴とする機械室レス・エレベーターシステム。
【請求項２】
前記支持部（８）がケージ（３）及び釣り合い重り（５）の昇降通路外の昇降路（１）壁上に固着され、巻き上げ機（２）がその下方に固定されていることを特徴とする請求項１に記載の機械室レス・エレベーターシステム。
【請求項３】
前記巻き上げ機（２）がほぼ昇降路（１）最上階の次の１階位置に取り付けられ、好ましくは、最上階の床板面より２ｍ以内であることを特徴とする請求項２に記載の機械室レス・エレベーターシステム。
【請求項４】
前記巻き上げ機（２）が薄型モータであることを特徴とする請求項３に記載の機械室レス・エレベーターシステム。
【請求項５】
前記モータがカンチレバー式に、即ちケーブル駆動ホイール（２ａ）をモータ本体の外側に枢支していることを特徴とする請求項４に記載の機械室レス・エレベーターシステム。
【請求項６】
前記エレベーター制御盤（９）が巻き上げ機（２）の上方又は下方の支持部（８）上に固定されていることを特徴とする請求項２に記載の機械室レス・エレベーターシステム。
【請求項７】
前記制御盤（９）と前記巻き上げ機（２）が同一の構成体上に固定されていることを特徴とする請求項６に記載の機械室レス・エレベーターシステム。
【請求項８】
前記巻き上げ機（２）が負荷端のケージ側転向ホイール（１０）の下方にあって受力方向が上を向き、しかも逆重力方向の駆動を呈することを特徴とする請求項１に記載の機械室レス・エレベーターシステム。
【請求項９】
前記巻き上げ機（２）の下方の支持部（８１）は複数の軸方向振動吸収素子（２１）を有し、上方支持部（８２）は複数の半径方向振動吸収素子（２２）を有していることを特徴とする請求項１に記載の機械室レス・エレベーターシステム。
【請求項１０】
更に釣り合い重り（５）の頂部に設置した釣り合い重り側ホイール（１２）と、ケージ（３）の底部に設置した少なくとも１つのケージ側ホイール（１３）とを有していることを特徴とする請求項１に記載の機械室レス・エレベーターシステム。
【請求項１１】
前記ケーブル（１４）は、その一端がレール支持梁（７’）の上端部Ｃに固着され、該上端部Ｃから下に延びて少なくとも１つのケージ用ホイール（１３）を巻回した後、更に上に向けて延びてケージ側転向ホイール（１０）を巻回し、更に下方向に延びて巻き上げ機のケーブル駆動ホイール（２ａ）を巻回し、更に上に延びて釣り合い重り側転向ホイール（１１）を巻回した後、下に延びて釣り合い重り側ホイール（１２）を巻回して、上に延びてレール支持梁（７）上の端部Ｗに至るように延びていることを特徴とする請求項１又は１０に記載の機械室レス・エレベーターシステム。
【請求項１２】
前記支持部（８）はその他の補助梁とケージ用ガイドレール（４）又は釣り合い重り用ガイドレール（６）等を介して一体に結合できるようになされていることを特徴とする請求項１に記載の機械室レス・エレベーターシステム。
【発明の詳細な説明】
【０００１】
【発明の属する技術分野】
本発明はエレベーターシステムに関し、特に薄型ＰＭモータの使用により、巻き上げ機と、エレベーター制御盤等を同一の一つの支持部上に取り付け、ケージ及び釣り合い重りの昇降通路外の昇降路壁上に設置する機械室レス・エレベーターシステムに関する。
【０００２】
【従来の技術】
周知のエレベーターは、全てが巻き上げ機を必要とすることにより、機械室が上方にある頂吊式、または下方にある底吊式を問わず、建築物はすべて機械室の建造に費やすコストを必要としていた。そして床板面積を占用し（例えば底吊式）、又は頂部が突出（例えば頂吊式）して建築物の外観に影響するだけでなく、かつ、建築物の設計に相当に大きい制限を与えていた。
【０００３】
この周知のエレベーター機械室の欠陥を解決することを課題として、下記特許文献１には、例えば図５に示すような「リフト」と題する発明が開示されている。それは主に一つの昇降路（１）と、前記昇降路（１）内で交代に昇降をするケージ（３）及び釣り合い重り（１０）と、前記昇降路（１）内においてケージ（３）と釣り合い重り（１０）の懸吊に用いられるケーブル（１９）と、前記ケーブル（１９）の巻回を行う牽引ホイール（１６）及び該牽引ホイール（１６）を駆動回転させるモータ（１７）と、牽引ホイール（１６）及びモータ（１７）の間に接続された減速機（１５）を有する巻上機（１４）を有し、該巻き上げ機（１４）は前記昇降路（１）の上部に設置され、しかもケーブルを経て前記のケージ（３）と釣り合い重り（１０）を昇降させるようになされている。
【０００４】
そのうち、前記のケージ（３）及び巻上機（１４）は垂直方向を水平面に投影した場合、それぞれ減速機（１５）及び牽引ホイール（１６）をケージ（３）の投影区域外に配置している。モータ（１７）の一部はケージ（３）の投影区域内に配置されている。前記モータ（１７）のケージ（３）に対向する面は前記減速機（１５）と前記牽引ホイール（１６）の少なくとも一方の下端部より上方位置に位置決めされている。
【０００５】
他に、下記特許文献２には、例えば図６に示すように、「リフト素子とその組合せ方法」と題する発明が開示されている。このリフト素子とその組合せ方法は、その主要部分が昇降路中で上下移動可能に取り付けられたケージ（４）の昇降レールと干渉しないように設置されており、昇降路中に設置された平坦な薄型巻き上げ機と、ケージ（４）の昇降レール（２ａ、２ｂ）と干渉しないように昇降路中に設けられた第１のホイール（１１）と第２のホイール（１３）と、ケージ（４）の昇降レール（２ａ、２ｂ）の後方に設置され、昇降路中で上下移動可能に取付けられた釣り合い重り（３）と、前記平坦な薄型巻き上げ機、第１のホイール（１１）及び第２のホイール（１３）に架け渡されたケーブル（５）と、前記ケーブル（５）の第１端部分がケージ（４）を懸吊し、かつ第２端部分が釣り合い重り（３）を懸吊するようになされている。また、平坦な薄型巻き上げ機、第１のホイール（１１）及び第２のホイール（１３）を支持する支持部材が、釣り合い重り（３）用ガイドレール（１ａ、１ｂ）上端部分に取り付けられ、以って釣り合い重り（３）を案内する支持部材を有している。
【０００６】
【発明が解決しようとする課題】
本発明の主要目的は周知の機械室の占用空間と、建築コスト等の増加という欠点を改善した機械室レス・エレベーターシステムを提供することにある。
【０００７】
本発明の他の目的は、巻き上げ機を昇降路中に適宜位置に配置して、完全にケージ及び釣り合い重りの昇降摺動通路を回避し、および弾性的に、任意の高さに配置できるようになした機械室レス・エレベーターシステムを提供することにある。
【０００８】
【特許文献１】
中華民国特許公告第４９０４３３号公報
【特許文献２】
中華民国特許公告第４９１８１２号公報
【０００９】
【課題を解決するための手段】
前記の目的及び他の目的を達成するため、本発明の機械室レス・エレベーターシステムは、昇降路壁上にケージ用ガイドレール及び釣り合い重り用ガイドレールが設けられた壁により限定されている昇降路と、ケージ用ガイドレールに沿って上下摺動するケージと、釣り合い重り用ガイドレールに沿って上下摺動する釣り合い重りと、前記ケージ及び釣り合い重りを懸吊する両端が固着された少なくとも一本の偏平形ケーブルと、ケージ及び釣り合い重りの昇降通路外の昇降路壁との間に配置され、駆動ケーブルを受けてケージ及び釣り合い重りと共に連動させる巻き上げ機を含んでおり、そのうち、支持部に前記巻き上げ機及び該巻き上げ機のエレベーター制御盤とが固着され、ケージ側転向ホイールが適宜の偏向角度で以って前記支持部の頂部に設けられ、該釣り合い重り側偏向ホイールが適宜の偏向角度で以って前記レール支持梁頂部に設置され、巻き上げ機により駆動される前記駆動ケーブルが滑らかな偏向角度でケージ及び釣り合い重りを駆動するようにした機械室レス・エレベーターシステムが提供される。このようにして周知の機械室の建造費用と、その占用する空間を節約することができるようになる。
【００１０】
本発明によれば巻き上げ機を設置するのに用いる支持部が昇降路壁上に固定され、前記の巻き上げ機を最上階の次の一階の適宜位置、即ち、最上階床板より約２ｍ以内、に取り付けることができる。そして前記支持部がケージ及び釣り合い重りの昇降通路上にないことにより、建築物の特性に応じて弾力的に配置することができる。
【００１１】
【発明の実施の形態】
【実施例】
以下、実施例に合わせて本発明の技術的特徴に対して更に詳細に説明する。なお、当該実施例はただの好ましい例示であって、本発明の範囲をこれに限定することを意図して使用されるものではない。当業者であれば、参考図面と共に下記の詳細な説明を参照すれば、本発明についてより詳細に理解することができるであろう。
【００１２】
まず、図１及び図２を参照して説明する。本実施例の機械室レス・エレベーターシステムは、昇降路（１）壁上にケージ用ガイドレール（４）と釣り合い重り用ガイドレール（６）とが設けられている。前記ケージ用ガイドレール（４）と釣り合い重り用ガイドレール（６）は、上方に支持梁（７，７’）が水平に配置され、昇降路（１）壁上に固定されている。更に、ケージ（３）には、底部に少なくとも一つのケージ用ホイール（１３）、又は、通常は一対のケージ用ホイール（１３，１３’）が設けられており、ケージ用ガイドレール（４）に沿って上下摺動できるようになっている。
【００１３】
また、釣り合い重り（５）は、頂部に釣り合い重り用ホイール（１２）が設けられ、釣り合い重り用ガイドレール（６）に沿って上下摺動できるようになっている。更に、少なくとも１本又は通常３本並行の偏平形駆動ケーブル（１４）が、両端が前記支持梁（７，７’）に固着されていると共に、前記のケージ（３）と釣り合い重り（５）とを懸吊している。また、巻き上げ機（２）が、ケージ（３）及び釣り合い重り（５）の昇降通路外の昇降路（１）壁に配置され、駆動ケーブル（１４）を制御してケージ（３）及び釣り合い重り（５）を連動させるようになされている。
【００１４】
昇降路（１）壁には支持部（８）が設けられ、この支持部（８）には前記巻き上げ機（２）と該巻き上げ機（２）を制御するためのエレベーター制御盤（９）とが固着されている。更に、前記支持部（８）の頂部にはケージ側転向ホイール（１０）が適宜偏向角度を以って設置され、また、釣り合い重り側転向ホイール（１１）が適宜偏向角度を以ってレール支持梁（７）の頂部に設置され、駆動ケーブル（１４）が滑らかな偏向角度でケージ（３）と釣り合い重り（５）に張り渡されて巻き上げ機により駆動できるようになされている。
【００１５】
図３に示すように、本発明は、有効的に昇降路（１）の横断面積を利用するために、巻き上げ機（２）として薄型のＰＭモータを動力源として採用し、かつ前記巻き上げ機（２）を固定する支持部（８）をケージ（３）及び釣り合い重り（５）の昇降通路外の昇降路（１）壁上に固定し、かつ他の補助梁とケージ用ガイドレール（４）、又は釣り合い重り用ガイドレール（６）等を同時に駆動ケーブル（１４）で結合する。巻き上げ機（２）はこの支持部（８）の下方に固定され、エレベーター制御盤（９）が巻き上げ機（２）の上方の空間、又は下方の空間の支持部（８）上に固定でき、又は両者を同一構成体で以って支持部（８）上に固定でき、制御盤（９）はごく短いリード線で巻き上げ機（２）と接続されて制御を行うようになされている。
【００１６】
本発明によれば、巻き上げ機（２）がほぼ昇降路（１）の最上階の次の一階の位置に取り付けられ、好ましくは最上階の床板面以下の２ｍ内、かつ建築物の特性により弾性的配置をすることができる。前記巻き上げ機（２）のモータはカンチレバー式の構成、即ちケーブル駆動ホイール（２ａ）をモータ本体の外側に枢設している。図１と２に示す実施例中から、ケーブル（１４）の一端がガイドレールの支持梁（７’）上の端部Ｃに固着され、この端部Ｃより下に延びてケージ側ホイール（１３）を巻回し、更に上に延びてケージ側の転向ホイール（１０）を巻回した後、更に下へ延びて巻き上げ機のケーブル駆動ホイール（２ａ）を巻回して上方へ延び、釣り合い重り側転向ホイール（１１）を巻回する。そして、更に下へ延びて釣り合い重り側ホイール（１２）を巻回した後、更に上へガイドレールの支持梁（７）の端部Ｗまで延びている。
【００１７】
本発明によれば、巻き上げ機（２）がケージ側転向ホイール（１０）の下方の負荷端にあって、受力方向が上向きで逆動方向の駆動を呈しているので、そのエレベーターが負荷を受けた場合、ケーブル（１４）の間の引張力が上下で相殺して内力となしてこれらの構成本体で受けるようになる。また、釣り合い重り側転向ホイール（１１）及びケーブル（１４）の端部Ｗをガイドレール上方の支持梁（７）上に設置することにより、釣り合い重り用ガイドレール（６）で大部分の重量を支持している。このため支持部（８）の縦方向の受力が大幅に弱くなるので、昇降路（１）壁上又はケージ用ガイドレール（４）上に固定しても、どちらの場合も固定強度の信頼性が向上される。その他、図４に示すように巻き上げ機（２）が薄型のモータに属することにより、この懸吊時に発生するモーメントを阻止するため、巻き上げ機（２）下方の支持部（８１）上に複数の軸方向の振動吸収素子（２１）を設けると共に、上方の支持部（８２）上に複数の半径方向の振動吸収素子（２２）を設けて、エレベーターの振動防止構成を立体化させて、多方面の振動を吸収している。
【００１８】
【発明の効果】
前記の本発明の機械室レス・エレベーターシステムによれば、以下の効果を達成できる。
１）エレベーターシステムは周知の機械室の建造費用と、その占用する空間を節約すると共に、建築物の設計が制限されなくなる。
２）昇降路中の高さ位置に多数個の交換できる巻き上げ機を提供し得るので、建築物の特性により弾力的な配置をすることができる。
３）薄型（ＰＭ）モータを採用することにより、効率が高く、既存の標準エレベーター（ＴＫ型）よりモータ効率を２級下げることができ、低エネルギーの低公害設計となしえる。
４）ケージ側転向ホイール（１０）と巻き上げ機（２）を同一の支持部（８）上に固定することにより、そのケーブル（１４）の外力を相殺して内力となしてこれらの構成自体で受けることにより、昇降路（１）壁又はケージ用ガイドレール（４）上に固定するにかかわらず、固定強度の信頼性を向上できる。
５）巻き上げ機（２）が薄型モータに属することにより、懸吊時に発生するモーメントを阻止するため、その下方には軸方向の振動吸収素子（２１）を設置し、上方に半径方向の振動吸収素子（２２）を設けて、振動防止構成を立体化させて、多方向の振動を吸収することができる。
【００１９】
以上は、本発明の好ましい実施例のみであって、本発明の実施範囲を限定するものではない。即ち、本発明の特許請求の範囲に記載された思想又は本質から逸脱せずに他の具体的な形でも実現でき、したがって、発明の範囲を示すものとしては付加されたクレームをも参照すべきである。
【００２０】
前記を総合すると、本発明の機械室レス・エレベーターシステムは、周知の機械室の建造費と、その占用の空間を節約することができると共に、建築物の設計が制限を受けないので、新規性及び進歩性があり、かつ産業上の利用性を有する発明である。
【図面の簡単な説明】
【図１】本発明の機械室レス・エレベーターシステムの分解斜視図である。
【図２】本発明の機械室レス・エレベーターシステムの縦断面図である。
【図３】本発明の機械室レス・エレベーターシステムの横断面図である。
【図４】本発明の機械室レス・エレベーターシステムの巻き上げ機固定構造の局部断面拡大図である。
【図５】従来例の機械室レス・エレベーターシステムを説明する図である。
【図６】別の従来例の機械室レス・エレベーターシステムを説明する図である。
【符号の説明】
１          昇降路
２          巻き上げ機
２ａ        ケーブル駆動ホイール
２１，２２  振動吸収素子
３          ケージ
４          ケージ用ガイドレール
５          釣り合い重り
６          釣り合い重り用ガイドレール
７，７’    支持梁
８          支持部
８１，８２  支持部
９          制御盤
１０          ケージ側転向ホイール
１１          釣り合い重り側転向ホイール
１２          釣り合い重り側ホイール
１３          ケージ側ホイール
１４          駆動ケーブル
【図１】
2004189481.tif 000003
【図２】
2004189481.tif 000004
【図３】
2004189481.tif 000005
【図４】
2004189481.tif 000006
【図５】
2004189481.tif 000007
【図６】
2004189481.tif 000008